(57)【特許請求の範囲】
【請求項１】
浴室の壁面に装着される浴室設置型のリモコンであって、その筐体背面に外側の輪郭が環状の突出部が設けられ、該突出部の内側に筐体内部に通じる貫通孔が形成されるとともに、該筐体背面と浴室壁面との間に浸入する水滴等を排水するための排水溝が前記突出部を囲むように環状に形成されてなるものにおいて、
前記突出部の下方かつ前記環状の排水溝の内側所定位置に、左右方向に所定の長さを有し、かつ、その一部が前記環状の排水溝に連通されている第２の排水溝が形成されている
ことを特徴とする浴室設置型リモコン。
【請求項２】
前記環状の突出部の下方かつ前記環状の排水溝の内側所定位置に、左右方向に所定の長さを有し、かつ、溝内に浸入した水滴等を前記第２の排水溝または前記環状の排水溝に案内する傾斜部を有して前記第２の排水溝または前記環状の排水溝に連通する第３の排水溝が形成されていることを特徴とする請求項１に記載の浴室設置型リモコン。
【請求項３】
前記傾斜部は、前記第３の排水溝の全長または一部を、前記突出部の外周壁からほぼ等距離に位置するように上向きの略円弧状に形成してなることを特徴とする請求項２に記載の浴室設置型リモコン。
【請求項４】
前記環状の排水溝の外側下方に、該環状の排水溝と連通し、かつ、前記筐体表面に貫通する排水孔が設けられていることを特徴とする請求項１から３のいずれかに記載の浴室設置型リモコン。
【請求項５】
請求項１から４のいずれかに記載の浴室設置型リモコンを浴室壁面に取り付ける際にこれらの間に介装される壁パッキンであって、
パッキン本体が弾性を有する平板状の部材で構成され、
このパッキン本体に、前記環状の突出部を嵌合可能な開口部を有する主孔と、この主孔に連通し、該主孔の内周面と前記環状の突出部の外周壁との間に浸入した水滴等を前記第２の排水溝または第３の排水溝に案内するための案内孔とが形成されている
ことを特徴とする壁パッキン。
【請求項６】
前記案内孔は、略矩形の開口形状を有していることを特徴とする請求項５に記載の壁パッキン。
【請求項７】
請求項１から４のいずれかに記載の浴室設置型リモコンを浴室壁面に取り付ける際にこれらの間に介装される壁パッキンであって、
パッキン本体が弾性を有する平板状の部材で構成され、
このパッキン本体に、前記環状の突出部を嵌合可能な開口部を有する主孔と、この主孔に連通し、該主孔の内周面と前記環状の突出部の外周壁との間に浸入した水滴等をパッキン本体の外側に案内するための案内孔とが形成されている
ことを特徴とする壁パッキン。
【請求項８】
前記パッキン本体は、その上端部に傾斜部が形成され、この傾斜部により、上方から浸入し該パッキン本体の上端に達した水滴等が壁パッキンの左右両側面またはいずれか一方の側面側に案内されるように構成されていることを特徴とする請求項５から７のいずれかに記載の壁パッキン。
【請求項９】
前記パッキン本体は、その全体がスポンジ状のパッドで構成され、該パッキン本体の上端部付近を除いて、少なくともその表裏一方の面に粘着剤層が形成されていることを特徴とする請求項５から８のいずれかに記載の壁パッキン。
【請求項１０】
請求項１から４のいずれかに記載の浴室設置型リモコンの筐体背面に、請求項５から９のいずれかに記載の壁パッキンが接着されるとともに、該壁パッキンの他方の面が浴室壁面に接着されてなることを特徴とする浴室設置型リモコンの防排水構造。
【発明の詳細な説明】
【技術分野】
【０００１】
この発明は浴室設置型リモコン、壁パッキンおよび浴室設置型リモコンの防排水構造に関し、より詳細には、浴室に設置される給湯器のリモコンにおいて、防水と排水の機能を備えた構造に関する。
【背景技術】
【０００２】
浴室の壁面に給湯器のリモコンを取り付ける場合、リモコンの筐体背面から水滴や水蒸気などの水分（以下、水滴等と称する）が筐体内部に浸入しないように、図９(a)に示すような形状を有する厚さ数ミリ程度の弾性部材（具体的には、スポンジ状の部材）で構成されたパッキンａを、筐体背面の所定位置（図９(b)参照）に貼付し、この状態でリモコンaを浴室の壁面に取り付けている。
【０００３】
より詳細には、リモコンｂの筐体背面には、該リモコンｂを浴室壁面に取り付ける際にステーパイプ（図示せず）が装着される環状の突出部ｃが設けられており、この突出部ｃの内側には、貫通孔（具体的には、筐体内部の電装基板から延設されるリモコンケーブルなどの電装線（図示せず）を挿通させるための電装線挿通孔ｄや、筐体内部の通気用の通気孔ｅ）が筐体背面を貫通して設けられている。
【０００４】
一方、上記壁パッキンａは、上述したような筐体背面の形状に合わせて、上記筐体背面の突出部ｃと略同径の開口部ｆを有する環状部ｇと、この環状部ｇを囲む矩形の枠部ｈとで構成され、こられ環状部ｇと枠部ｈの表裏面にそれぞれ粘着剤層が形成されている（なお、図ではこの粘着剤層の部分をハッチングで示す）。
【０００５】
そして、リモコンｂの浴室壁面への取付けにあたっては、上記壁パッキンａの環状部ｇで上記筐体裏面の突出部ｃの周囲を覆うように、上記壁パッキンａの開口部ｆの位置を突出部ｃの位置に合わせ、この状態で、壁パッキンａの一方の面を筐体背面に接着するとともに、他方の面を壁パッキンａの弾性に抗して浴室壁面に接着させ、さらに、この状態でリモコンｂの外周部分（具体的には、リモコンｂと浴室壁面との間）にコーキングを施している。
【０００６】
このように、従来の施工法では、リモコンｂの外周に施されたコーキングと、リモコンｂの背面に貼付された上記壁パッキンａとによって筐体背面と浴室壁面との間に生じる隙間を閉塞することで、上記貫通孔ｄ，ｅから筐体内部に水滴等が浸入するのを防止していた。
【０００７】
【特許文献１】特開２０００−１２４６３２号公報
【発明の開示】
【発明が解決しようとする課題】
【０００８】
しかしながら、このような構成では以下のような問題があり、その改善が望まれていた。
【０００９】
すなわち、上述した従来の施工法で使用する壁パッキンａは、厚さが数ミリ程度と薄く、しかも全体がスポンジ状の柔らかい部材で構成されていることや、枠部ｈによって形成される枠部分の幅が狭いことなどに起因して、リモコンｂの筐体背面に接着する際に歪みやねじれ等が生じ易く、接着面に皺を生じ易いという傾向があった。その一方、この種のリモコンｂは、施工場所との関係で上述したステーパイプを取り付けることなく浴室壁面に取り付けられることがあり、そのような場合、上述したコーキングが不十分であったりコーキングが劣化するなどしてリモコンｂと浴室壁面との間に水滴等が浸入すると、施工時に生じた壁パッキンの皺を通ってリモコンｂの筐体背面（具体的には貫通孔ｄ，ｅ内）に水滴等が浸入するという問題があった。
【００１０】
なお、上述したような皺の発生を防ぐための便法として、施工時に壁パッキンａの一部（たとえば、上端部分）に作業員が切込みを入れることがあったが、このように壁パッキンａに切込みを入れると、該切込み部分から水滴等の浸入を招くこととなるので、皺の発生は抑制できても水滴等の浸入を防ぐことはできなかった。
【００１１】
そして、上述したような事情によってリモコンｂと浴室壁面の間隙に水滴等が浸入すると、従来の壁パッキンａでは、浸入した水滴等がリモコンｂの突出部ｃの外周面と壁パッキンａの開口部ｆの内周面との間に形成された隙間に溜まり易く、そのため、この隙間に溜まった水滴等が上記貫通孔ｄ，ｅからリモコンｂの筐体内部に浸入し易くなるという問題があった。
【００１２】
本発明はこのような従来の問題点に鑑みてなされたものであって、その目的とするところは、施工作業が容易で、筐体内部への水滴等の浸入防止効果の高い浴室設置型リモコン、壁パッキンおよびこれらを用いた浴室設置型リモコンの防排水構造を提供することにある。
【課題を解決するための手段】
【００１３】
上記目的を達成するため、まず、本発明に係る浴室設置型リモコンは、浴室の壁面に装着される浴室設置型のリモコンであって、その筐体背面に外側の輪郭が環状の突出部が設けられ、該突出部の内側に筐体内部に通じる貫通孔が形成されるとともに、該筐体背面と浴室壁面との間に浸入する水滴等を排水するための排水溝が上記突出部を囲むように環状に形成されてなるものにおいて、上記突出部の下方かつ上記環状の排水溝の内側所定位置に、左右方向に所定の長さを有し、かつ、その一部が上記環状の排水溝に連通されている第２の排水溝が形成されていることを特徴とする。
【００１４】
そして、その好適な実施態様として、上記環状の突出部の下方かつ上記環状の排水溝の内側所定位置に、左右方向に所定の長さを有し、かつ、溝内に浸入した水滴等を上記第２の排水溝または上記環状の排水溝に案内する傾斜部を有して上記第２の排水溝または上記環状の排水溝に連通する第３の排水溝が形成されていることを特徴とする。
【００１５】
そして、上記傾斜部は、上記第３の排水溝の全長または一部を、上記突出部の外周壁からほぼ等距離に位置するように上向きの略円弧状に形成してなることを特徴とする。
【００１６】
さらに、上記環状の排水溝の外側下方に、該環状の排水溝と連通し、かつ、上記筐体表面に貫通する排水孔が設けられていることを特徴とする。
【００１７】
一方、本発明に係る壁パッキンは、上述した浴室設置型リモコンを浴室壁面に取り付ける際にこれらの間に介装される壁パッキンであって、パッキン本体が弾性を有する平板状の部材で構成され、このパッキン本体に、上記環状の突出部を嵌合可能な開口部を有する主孔と、この主孔に連通し、該主孔の内周面と上記環状の突出部の外周壁との間に浸入した水滴等を上記第２の排水溝または第３の排水溝に案内するための案内孔とが形成されていることを特徴とする。そして、好ましくは、上記案内孔は略矩形の開口形状を有していることを特徴とする。
【００１８】
また、本発明の壁パッキンは、他の好適な実施態様として、パッキン本体が弾性を有する平板状の部材で構成され、このパッキン本体に、上記環状の突出部を嵌合可能な開口部を有する主孔と、この主孔に連通し、該主孔の内周面と上記環状の突出部の外周壁との間に浸入した水滴等をパッキン本体の外側に案内するための案内孔とが形成されていることを特徴とする。
【００１９】
そして、上記パッキン本体は、その上端部に傾斜部が形成され、この傾斜部により、上方から浸入し該パッキン本体の上端に達した水滴等が壁パッキンの左右両側面またはいずれか一方の側面側に案内されるように構成されていることを特徴とする。
【００２０】
さらに、上記パッキン本体は、その全体がスポンジ状のパッドで構成され、該パッキン本体の上端部付近を除いて、少なくともその表裏一方の面に粘着剤層が形成されていることを特徴とする。
【００２１】
また、本発明に係る浴室リモコンの防排水構造は、上述した浴室設置型リモコンの筐体背面に上述した壁パッキンが接着されるとともに、該壁パッキンの他方の面が浴室壁面に接着されることを特徴とする。
【発明の効果】
【００２２】
本発明によれば、浴室設置型リモコンは、その筐体背面に外側の輪郭が環状の突出部が設けられ、該突出部の内側に筐体内部に通じる貫通孔が形成されるとともに、該筐体背面と浴室壁面との間に浸入する水滴等を排水するための排水溝が上記突出部を囲むように環状に形成されてなるものにおいて、上記突出部の下方かつ上記環状の排水溝の内側所定位置に、左右方向に所定の長さを有し、かつ、その一部が上記環状の排水溝に連通されている第２の排水溝が形成され、また、実施態様によっては、上記環状の突出部の下方かつ上記環状の排水溝の内側所定位置に、左右方向に所定の長さを有し、かつ、溝内に浸入した水滴等を上記第２の排水溝または上記環状の排水溝に案内する傾斜部を有して上記第２の排水溝または上記環状の排水溝に連通する第３の排水溝が形成される一方、壁パッキンのパッキン本体には、上記環状の突出部を嵌合可能な開口部を有する主孔と、この主孔に連通し、該主孔の内周面と上記環状の突出部の外周壁との間に浸入した水滴等を上記第２の排水溝または第３の排水溝に案内するための案内孔とが形成されていることから、リモコンの筐体背面と壁パッキンの間に下方から水滴等、特に水蒸気が浸入しても、当該水滴等は、上記環状の排水溝と第２の排水溝（第３の排水溝が設けられている場合は第３の排水溝）とによって阻まれ、容易に筐体背面の突出部（貫通孔）には到達しない。
【００２３】
また、筐体背面と壁パッキンの間に上方から水滴等が浸入しても、壁パッキンには、筐体背面の突出部の外周壁と壁パッキンとの間に浸入した水滴等を上記第２の排水溝または第３の排水溝に案内するための案内孔が形成されていることから、浸入した水滴等は上記突出部の周囲に留まることなく案内孔を介して上記第２または第３の排水溝に案内され、筐体背面の貫通孔への浸入が防止される。
【００２４】
その際、筐体背面の上記第３の排水溝の全長または一部を上記環状の突出部の外周壁からほぼ等距離に位置するように上向きの略円弧状に形成させておくことにより、上記壁パッキンとして、案内孔が略矩形の開口形状を有したものを用いれば、壁パッキンを筐体背面に貼付する際に、該壁パッキンの貼付位置がずれて案内孔がリモコンの鉛直方向ではなく斜下方向きになったとしても、案内孔は上記第３の排水溝に届くため、排水を確実に行うことができる。
【００２５】
また、上記環状の排水溝の外側下方に、該環状の排水溝と連通し、かつ、上記筐体表面に貫通する排水孔を設けることにより、上記第２または第３の排水溝に案内された水滴等は、この排水孔を通じてリモコンの筐体外部に排出される。
【００２６】
また、壁パッキンのパッキン本体の上端部に傾斜部が形成しておけば、上方から浸入し該パッキン本体の上端に達した水滴等はこの傾斜部によって壁パッキンの左右両側面またはいずれか一方の側面側に案内されるので、筐体背面と壁パッキンとの間への水滴等の浸入を抑制できる。
【００２７】
さらに、上記パッキン本体をスポンジ状のパッドで構成し、該パッキン本体の上端部付近を除いて、少なくともその表裏一方の面に粘着剤層を形成させておくことにより、壁パッキンをリモコンの筐体背面に貼付した時に、該粘着剤層の形成されていない上端付近には皺がよらないため、防水効果をより高めることができる。
【発明を実施するための最良の形態】
【００２８】
以下、本発明の実施形態を図面に基づいて詳細に説明する。
【００２９】
実施形態１
図１に本発明に係る浴室設置型リモコン（以下、「リモコン」と称する）の背面図を示す。また、図２には上記リモコンの正面図を示しており、図２(a)はリモコン正面に設けられた開閉蓋Ａを閉じた状態を、また、図２(b) は同リモコンの開閉蓋Ａを取り外した状態を示している。さらに、図３に図１のＩ−Ｉ線に沿った断面の拡大図を示している。
【００３０】
このリモコン１は、図示しない給湯器等の遠隔操作装置として浴室の壁面に装着されるものであって、略矩形の筐体２の内部に図示しない電装基板が備えられるとともに、その正面には図２に示すような化粧パネル３が装着されている。
【００３１】
上記リモコン１の筐体背面２ａは、プラスチック等の樹脂で一体成形されてなるもので、図１に示すように、その中央には、リモコン１を浴室の壁面（図示せず）に取り付ける際に浴室壁面に貫通して取り付けられる図示しないステーパイプを螺入するためのねじ溝が内周壁４ａに形成されたパイプ装着部４と、該パイプ装着部４のさらに内側に、上記電装基盤から延設される電装線（たとえば、リモコンケーブル）を挿通するためのグロメット部５とが形成されている。
【００３２】
上記パイプ装着部４の外周壁４ｂは、上記筐体背面２ａから突出状に設けられている。これは、主として、ステーパイプを装着するための装着代を確保するため、ならびに上記筐体背面２ａの表面を伝って後述する貫通孔に水滴等が浸入するのを防止するためであり、本実施形態では、このパイプ装着部４は、その外周壁４ｂの輪郭（換言すれば、パイプ装着部４の外側の輪郭）が略円形となるように形成されている。
【００３３】
なお、図示例では、このパイプ装着部４の外側の輪郭を略円形に形成した場合を示したが、たとえば楕円形状や矩形に近い形状とすることもできる。要はステーパイプ装着用の内周壁４ａとこの外周壁４ｂとによって環状の突出部が形成されていればよく、上述した目的を達成できる形状であれば、他の形状を採用することも可能である。
【００３４】
上記グロメット部５は、上記パイプ装着部４の内側の内底部４ｃから突出状に形成されており、その頂上面５ａに電装線を挿通するための電装線挿通孔（貫通孔）６が筐体２の内部に貫通して開口されている。また、同様に、上記内底部４ｃにも筐体２内部の通気用の通気孔（貫通孔）７が筐体２の内部に貫通して開口されている。
【００３５】
そして、このように構成された上記筐体背面２ａの外周縁２ｂの周辺には、該外周縁２ｂの形状（本実施形態では略矩形状）に合わせて略矩形環状の排水溝８が形成されている。具体的には、この排水溝８は、筐体背面２ａと浴室壁面との間に浸入する水滴等を排水するための排水用の溝であって、少なくとも、上記パイプ装着部４の外周壁４ｂの外側に該外周壁４ｂを囲むように形成される。
【００３６】
より詳細には、この排水溝８は、図３に示すように、幅、深さともに数ミリ程度の断面略凹形状の溝で構成され、筐体背面２ａの外周縁２ｂの上縁に沿って形成される上縁溝８ａと、左右両縁に形成される左縁溝８ｂおよび右縁溝８ｃと、下縁に沿って形成される下縁溝８ｄとが連通することにより構成されている。
【００３７】
そして、この排水溝８の下縁溝８ｄの外側下方には、該下縁溝８ｄと連通する排水孔９が設けられている。より具体的には、この排水孔９は、図３に示すように、上記筐体２の表面に貫通するように設けられている。本実施形態に示すリモコン１においては、この排水孔９の筐体正面側の開口部は、筐体正面に設けられた開閉蓋Ａ（図２(a)参照）の蝶番部分に貫通するよう形成されている（図２(b)参照）。
【００３８】
つまり、本実施形態に示すリモコン１では、上記排水溝８に流れ込んだ水滴等は、重力によって、下縁溝８ｄに流れ込み、さらに上記排水孔９に流れ込んで、この排水孔９から筐体２の正面側より外部に排出されるように構成されている。
【００３９】
そして、本実施形態に示すリモコン１では、このように構成された排水溝８の内側所定位置に、左右方向に所定の長さを有し、かつ、その一部が上記排水溝８に連通されている第２の排水溝１０が形成されている。
【００４０】
この第２の排水溝１０は、主として、上記パイプ装着部４の外周壁４ｂを伝って流下する水滴等や後述する第３の排水溝から流入する水滴等を上記排水溝８に案内するとともに、上記排水溝８（具体的には、下縁溝８ｄ）をこえて下方から浸入する水滴等（具体的には、水蒸気）が上記パイプ装着部４内に形成された貫通孔（上記電装線挿通孔６や上記通気孔７）に到達しないようにその浸入を防ぐことを目的として形成されたもので、図１に示すように、上記パイプ装着部４の下方かつ上記下縁溝８ｄの内側（上方）に、該下縁溝８ｄと並行して形成された水平溝部１０ａと、この水平溝部１０ａと連通しつつ下方に延びて上記下縁溝８ｄに連通する案内溝部１０ｂとから構成されている。
【００４１】
具体的には、この第２の排水溝１０は、上記筐体背面２ａの所定位置に、上述した排水溝８と同様に、幅、深さともに数ミリ程度の断面略凹形状の溝を形成してなるもので（図３参照）、その水平溝部１０ａは上記パイプ装着部４の下方に位置し、かつその左右方向の長さが上記パイプ装着部４の直径（横幅）よりも長くなるように設定されている。ここで、左右方向の長さをこのように設定するのは、上記パイプ装着部４の外周壁４ｂを伝って流下する水滴等がこの水平溝部１０ａに流入し易く、かつ下方からの水蒸気の浸入防止効果が高くなるようにするためである。
【００４２】
なお、図示例では、この水平溝部１０を上記排水溝８の下縁溝８ｄと並行に略水平に形成した場合を示したが、水平溝部１０ａ内に流入した水滴等が上記案内溝部１０ｂに流入し易いように、上記案内溝部１０ｂに向かって下向きの傾斜をつけて形成することも可能である。
【００４３】
また、上記案内溝部１０ｂは、上記水平溝部１０ａに流入した水滴等を上記排水溝８の下縁溝８ｄに導くために設けられているので、図示のように、上記水平溝部１０ａの両端に形成される場合に限らず、たとえば上記水平溝部１０ａの中央にも設けてもよい。要は、上述した目的を達成し得る構造であれば、案内溝部１０ｂの位置、形状、数等は適宜設計変更可能である。
【００４４】
そして、さらに本実施形態では、上記第２の排水溝１０に加え、上記パイプ装着部４と上記第２の排水溝１０との間に第３の排水溝１１が形成されている。
【００４５】
この第３の排水溝１１は、主として、後述する壁パッキン１００の案内孔１０３を通じて流下する水滴等を上記第２の排水溝１０または上記排水溝８に案内するために形成されたものであって、上記パイプ装着部４の下方かつ上記排水溝８の内側所定位置に、左右方向に所定の長さを有し、かつ、溝内に浸入した水滴等が上記第２の排水溝１０に流入し易いように、上記第２の排水溝１０（または上記排水溝８）に向かって下向きに傾斜した傾斜部を有して構成される。
【００４６】
具体的には、この第３の排水溝１１は、上記筐体背面２ａの所定位置に、上記排水溝８や第２の排水溝１０と同様に、幅、深さともに数ミリ程度の断面略凹形状の溝を形成することにより構成されてなるもので（図３参照）、本実施形態では、この第３の排水溝１１は、図１に示すように、その全長が上向きの略円弧状に形成されるとともに、その円弧部分の最下部が上記第２の排水溝１０と連通するように形成されている。
【００４７】
すなわち、この第３の排水溝１１は、その全長にわたって溝の各部が上記パイプ装着部４の外周壁４ｂからほぼ等距離に位置するように設定されている。ここで、この第３の排水溝１１をこのように形成しているのは、後述する壁パッキン１００の案内孔１０３との関係で壁パッキン１００を斜めに接着した場合（図６参照）でも、案内孔１０３によって導かれる水滴等が上記第３の排水溝１１に流入するようにしたためである。
【００４８】
なお、図示例では、この第３の排水溝１１の全長にわたって上記パイプ装着部４の外周壁４ｂから略等距離になるように設定した場合を示したが、上記目的を達成し得る構造であれば、第３の排水溝１１の一部を円弧状に形成するように構成することも可能である。また、図示例では、第３の排水溝１１と第２の排水溝１０とが連通する部分に突起部１２が形成されているが、この突起部１２は上記連通部分が広くなると下方からの水蒸気の浸入が容易となるので、それを防ぐために設けられたものである。したがって、上記連通部分が狭い場合には特にこのような突起部１２は設けなくてもよく、また、反対に広い場合にはより多くの突起部１２を設けられる。
【００４９】
そして、図１において、符号１３で示すのは、リモコン１を浴室壁面に取り付ける際に、筐体背面２ａを上記浴室壁面から数ミリ程度浮かせて支持するための支持部である。また、符号１４で示すのは、後述する壁パッキン１００の貼付位置を示すために筐体背面２ａに形成された貼付位置表示部であり、本実施形態ではこの貼付位置表示部１４は、壁パッキン１００の適正な貼付位置を該壁パッキン１００の輪郭で表示するように形成されている。さらに、符号１５で示すのは、上記リモコン１の型番等を刻印等する欄を示すために形成された刻印等の表示部である。
【００５０】
次に、本発明に係る壁パッキンについて図４乃至図６に基づいて説明する。図４は、本発明に係る壁パッキンの一例を示す説明図であり、図４(a)は同壁パッキンの正面図を、また図４(b)は底面図を示している。また、図５は、壁パッキンをリモコン１の筐体背面２ａの貼付位置に適正に貼付した状態を示す説明図である。また、図６は、壁パッキンがリモコン１の筐体背面２ａの貼付位置に適正に貼付されなかった状態の一例を示す説明図である。
【００５１】
この壁パッキン１００は、上記リモコン１を浴室壁面に取り付ける際に、リモコン１の筐体背面２ａと浴室壁面との間に介装されるパッキンであって、弾性を有する厚さ数ミリ程度の平板状の部材で形成される。
【００５２】
具体的には、本実施形態では、この壁パッキン１００は、平板状のスポンジ状の部材で構成され、図４(a)に示すように、上端部１０１ａが円弧状に形成された略矩形のパッキン本体１０１の所定位置に、上記リモコン１のパイプ装着部４の外周壁４ｂを嵌合可能な開口部を有する主孔１０２と、この主孔１０２に連通する略矩形の開口形状を有する案内孔１０３とを開設することによって構成される。
【００５３】
ここで、上記パッキン本体１０１の上端部１０１ａを円弧状に形成しているのは、壁パッキン１００がリモコン１の筐体背面２ａと浴室壁面との間に介装された際に、上方から浸入する水滴等がこの上端部１０１ａに形成された円弧状の傾斜部によってパッキンの左右に流れ落ちるようにすることで、上記パイプ装着部４（具体的には、上記貫通孔６，７）に水滴等が浸入しにくくなるようにしたためである。したがって、パッキン本体１０１の上端部１０１ａの形状は、このように上方から浸入し該パッキン本体１０１の上端に達する水滴等がパッキン本体１０１の左右両側面またはいずれか一方の側面側に案内されるような形状であれば適宜設計変更可能である。
【００５４】
また、上記主孔１０２は、上記パイプ装着部４の外周壁４ｂを嵌合可能な開口部を有していればよいが、より好ましくは、上記パッキン本体１０１をリモコン１の筐体背面２ａに装着した際に、上記パイプ装着部４の外周壁４ｂと該主孔１０２の内周面１０２ａとの間に生じる隙間ができるだけ小さくなるように、該外周壁４ｂの輪郭に合致するように主孔１０２の形状が設定される。
【００５５】
さらに、上記案内孔１０３は、上記パッキン本体１０１をリモコン１の筐体背面２ａの適正な貼付位置に貼付した際に、上記主孔１０２の下方にこの案内孔１０３が連通するように形成されている。すなわち、この案内孔１０３は、上記パッキン本体１０１の上端部１０１ａから該パッキンと筐体背面２ａとの間に水滴等が浸入した場合、この浸入した水滴等が、上記パイプ装着部４の外周壁４ｂと上記主孔１０２の内周面１０２ａとの間に形成された隙間に溜まることなく上記第３の排水溝１１または上記第２の排水溝１０に案内されるようにしたものであって、本実施形態では、この案内孔１０３の長さ寸法（図において上下方向の寸法）は、図５に示すように、その下端部１０３ａが  上記第２の案内溝１０に届く長さに設定されている。
【００５６】
なお、上述したように、上記第３の排水溝１１は上記第２の排水溝１０に連通しているので、この案内孔１０３は、少なくとも、上記第３の排水溝１１まで到達する長さ寸法を有していればよい。
【００５７】
そして、このパッキン本体１０１の表裏面には、該パッキン本体１０１をリモコン１の筐体背面２ａと浴室壁面とに接着するための粘着剤層が形成されている。具体的には、本実施形態では、この粘着剤層は、図４のハッチングで示す部位、つまり、パッキン本体１０１の上端部１０１ａ付近を除くその他の部分に形成される。
【００５８】
ここで、パッキン本体１０１の上端部１０１ａ付近を除く部位にのみ粘着剤層を形成しているのは、該パッキン本体１０１を筐体背面２ａに接着する際に、この上端部１０１ａ付近に皺が生じるのを防止するためである。すなわち、上述したように、スポンジ状の柔らかい材質で形成されたパッキンの全面に粘着剤層を形成すると、パッキン本体１０１を筐体背面２ａに貼付する際に皺が生じることがあるので、本実施形態では、上端部１０１ａ付近にあえて粘着剤層を形成しないことによって、上端部１０１ａ付近に皺が発生するのを防止し、これによって壁パッキン１００の上端側の防水効果の向上が図られている。
【００５９】
なお、このような皺の発生防止は、最終的には、パッキン本体１０１の上端側からパイプ装着部４内に設けられた貫通孔６，７への水滴等の浸入を防止することにあるから、粘着剤層を形成しない部分（非粘着部）は、少なくとも上記パッキン本体１０１の上端部１０１ａから上記主孔１０２の上端部までの範囲を含むように設定される。
【００６０】
そして、このように構成された壁パッキン１００は、リモコン１を浴室壁面に装着するにあたり、まず、図５に示すように、該リモコン１の筐体裏面２ａに形成された貼付位置表示部１４で示された輪郭に合わせて貼付される。そして、リモコン１を浴室壁面に取り付けることにより、筐体背面２ａと浴室壁面との間に介装され、両者の間で弾性変形することによって両者の間をシールするように機能する。
【００６１】
しかして、このように本発明に係るリモコン１と壁パッキン１００とを用いて浴室壁面に取り付けられたリモコンは、壁パッキン１００の上端部１０１ａ付近には粘着剤層が形成されていないので、該上端部１０１ａ付近は皺なく密着し、しかも、該上端部１０１ａには傾斜部が形成されているので、仮にリモコン１の周囲のコーキングを破って上方から水滴等が浸入しても、当該水滴等は壁パッキン１００によりパイプ装着部４に到達するのが妨げられる。
【００６２】
また、仮に上記パッキン本体１０１の上端部１０１ａ側から水滴等が浸入したとしても、壁パッキン１００の主孔１０２に連通する案内孔１０３が形成されているので、浸入した水滴等はパイプ装着部４の外周壁４ｂと主孔１０２の内周面１０２ａとの間に形成された隙間に溜まることなく案内孔１０３を伝わって上記第３の排水溝１１や上記第２の排水溝１０に流れ落ち排水溝８、排水孔９を介して外部に排出される。したがって、仮に壁パッキン１００の上方から水滴等が浸入したとしても、当該水滴等が上記パイプ装着部４内に形成された貫通孔６，７から筐体２の内部に浸入することはない。
【００６３】
なお、本実施形態に示すリモコン１は、上記第３の排水溝１１は、その全長にわたって上記パイプ装着部４の外周壁４ｂからほぼ等距離に位置するように形成されていることから、仮に壁パッキン１００を図６のように斜めに装着してしまったような場合でも、上方から浸入した水滴等は案内孔１０３を伝わって上記第３の排水溝１１に案内されるので、上述した効果は損なわれない。
【００６４】
しかも、リモコン１の周囲のコーキングを破って下方から浸入する水滴等（主として水蒸気）についても、上記壁パッキン１００によってその浸入が防止されるとともに、仮に該壁パッキン１００の隙間（たとえは、接着時の皺）から浸入したとしても、上記第２の排水溝１０と第３の排水溝１１とによって上方への浸入が防がれ、これらの排水溝１０，１１から排水溝８、排水孔９を通じて外部に排出される。そのため、仮に壁パッキン１００の下方から水滴等が浸入したとしても、当該水滴等が上記パイプ装着部４に到達することはなく、貫通孔６，７から筐体２の内部に浸入することもない。
【００６５】
実施形態２
次に、本発明に係る壁パッキンの改変例を図７に基づいて説明する。図７(a)は同壁パッキンをリモコンに貼付した状態を示す説明図であり、また、図７(b)は同壁パッキンを装着した状態を浴室壁面側から見た説明図である。
【００６６】
図示のように、本実施形態の壁パッキン１１０は、上記実施形態１における壁パッキン１００における案内孔１０３の形状を改変したものであって、その他の構成は上述した実施形態１と同様であるので、構成が共通する部分は同一の符号を付して説明を省略する。
【００６７】
本実施形態に示す壁パッキン１１０は、主孔１０２に連通する案内孔１０３の形状を、上方からパイプ装着部４の外周部分に浸入した水滴等が下方に抜け、かつ下方から浸入する水滴等（主に水蒸気）がパイプ装着部４に浸入しないように形成したものである。
【００６８】
具体的には、図７(a)に示すように、上記主孔１０２の下方に連通する案内孔１０３を略Ｌ字状に形成する。すなわち、案内孔１０３を、パイプ装着部４の外周部分に浸入した水滴等を下方に抜く垂直孔部１０４と、この垂直孔部１０４に連通して左右方向に形成された水平孔部１０５とで構成し、該水平孔部１０５をパッキン本体１０１の側面に貫通させている。
【００６９】
これにより、たとえば、図７(b)に示すように、リモコン１が浴室壁面のタイルＴの目地Ｍ上に設けられるなどして、この目地Ｍを伝って水滴等が上記パイプ装着部４の周辺に浸入しても、主孔１０２に連通する垂直孔部１０４および水平孔部１０５を伝って該水滴がパッキン本体１０１の外側に排出され、さらには上記排水溝８、排水孔９を伝って外部に排出される。
【００７０】
なお、図示例では、上記水平孔部１０５を略水平に形成した場合を示したが、水滴等の排水を容易にするため、下方に向かう緩やかな傾斜をつけて設けることも可能である。
【００７１】
実施形態３
次に、本発明に係るリモコンの改変例を図８に基づいて説明する。図８(a)は同リモコンの背面図であり、図８(b)は図８(a)のＩＩ−ＩＩ線に沿った断面図であり、図８(c)は同リモコンを浴室壁面に装着した状態を示す説明断面図である。
【００７２】
図示のように、本実施形態のリモコン２００は、上記実施形態１におけるリモコン１におけるグロメット部５の構造並びに通気孔７の位置を改変したものであって、その他の構成は上述した実施形態１と同様であるので、構成が共通する部分は同一の符号を付して説明を省略する。
【００７３】
すなわち、本実施形態に示すリモコン２００では、グロメット部５０を上記筐体背面２ａから突出させて形成したものであって、該グロメット部５０は、図８(b)に示すように、断面略台形状、すなわちその外周壁５０ａがテーパ状を呈するように構成される。そして、このグロメット部５０の頂上面には電装線を挿通するための電装線挿通孔（貫通孔）６０と、筐体２内部の通気用の通気孔（貫通孔）７０とが筐体２の内部に貫通して開口されている。
【００７４】
そして、このリモコン２００の浴室壁面への取付けにあたっては、図８(c)に示すように、上記グロメット部５０の位置を、浴室壁面Ｗに形成されたリモコン取付孔Ｗｈの位置に合わせて、該グロメット部５０を上記リモコン取付孔Ｗｈに押し込むようにして装着する。なお、図において符号１２０は、リモコン２００と浴室壁面Ｗとの間に介装される壁パッキンを示している。
【００７５】
このように、本実施形態のリモコン２００によれば、浴室壁面Ｗへのリモコン２００の取付けが、グロメット部５０の位置を合わせて浴室壁面Ｗに押し込むことによってできるので、リモコン２００のセンターを合わせやすく施工容易で、しかも、電装線挿通孔６０や通気孔７０はリモコン取付孔Ｗｈ内、つまり、浴室壁面Ｗの内側に開設されることとなるので、パイプ装着部４付近に水滴等が溜まってもこれら貫通孔６０，７０から筐体２内部に水滴等が浸入することがない。
【００７６】
なお、上述した実施形態は本発明の好適な実施態様を示すものであって、本発明はこれらに限定されることなくその範囲内で種々の設計変更が可能である。  
【００７７】
たとえば、上述した実施形態では、上記第３の排水溝１１は、同排水溝１１に流入した水滴等を第２の排水溝１０に案内する（つまり、上記第２の排水溝１０を介して排水する）構成を示したが、第３の排水溝１１と排水溝８とが直接連通するように構成することも可能である。
【００７８】
また、上述した実施形態では、パッキン本体１０１の表裏面に粘着剤層を形成した場合を示したが、この粘着剤層は、少なくとも筐体背面２ａに装着する面（表裏いずれか一方の面）にのみ形成されていればよい。
【図面の簡単な説明】
【００７９】
【図１】本発明に係る浴室設置型リモコンの一例を示す背面図である。
【図２】同浴室設置型リモコンの一例を示す正面図であり、図２(a)は同リモコンの正面に設けられた開閉蓋を閉じた状態を、また、図２(b) は同リモコンの開閉蓋を取り外した状態を示している。
【図３】図１におけるＩ−Ｉ線に沿った断面の拡大図である。
【図４】本発明に係る壁パッキンの一例を示す説明図であり、図４(a)は同壁パッキンの正面図を、また図４(b)は底面図を示している。
【図５】同壁パッキンをリモコンの筐体背面の貼付位置に適正に貼付した状態を示す説明図である。
【図６】同壁パッキンがリモコンの筐体背面の貼付位置に適正に貼付されなかった状態の一例を示す説明図である。
【図７】本発明に係る壁パッキンの他の実施態様を示す説明図であり、図７(a)は同壁パッキンをリモコンに貼付した状態を示す説明図であり、また、図７(b)は同壁パッキンを装着した状態を浴室壁面側から見た説明図である。
【図８】本発明に係るリモコンの他の実施形態を示す説明図であり、図８(a)は同リモコンの背面図であり、図８(b)は図８(a)のＩＩ−ＩＩ線に沿った断面図であり、図８(c)は同リモコンを浴室壁面に装着した状態を示す説明図である。
【図９】従来におけるリモコンの浴室壁面への装着構造を説明するための説明図であって、図９(a)は従来の壁パッキンの正面図であり、図９(b)は同壁パッキンをリモコンの背面に貼付した状態を示す説明図である。
【符号の説明】
【００８０】
１，２００      リモコン（浴室設置型リモコン）
２              筐体
２ａ            筐体背面
３              化粧パネル
４              パイプ装着部（突出部）
５，５０        グロメット部
６，６０        電装線挿通孔（貫通孔）
７，７０        通気孔（貫通孔）
８              排水溝
９              排水孔
１０            第２の排水溝
１１            第３の排水溝
１００，１１０  壁パッキン
１０１          パッキン本体
１０２          主孔
１０３          案内孔
【図１】
0004673139.tif 000002
【図２】
0004673139.tif 000003
【図３】
0004673139.tif 000004
【図４】
0004673139.tif 000005
【図５】
0004673139.tif 000006
【図６】
0004673139.tif 000007
【図７】
0004673139.tif 000008
【図８】
0004673139.tif 000009
【図９】
0004673139.tif 000010